(57)【要約】【課題】室内空間に用いる仕上げ材に依らず室内空間内の揮発性有機化合物の濃度を抑制することが可能な建物を提供する。【解決手段】本発明に係る建物１００は、区画部材によって他の空間Ｒ２、Ｒ３と区画された室内空間Ｒ１を備えた建物１００であって、区画部材は、空洞部ｗ３、ｃ３と、空洞部ｗ３、ｃ３を挟んで対向する２つの仕切り部材ｗ１、ｗ２（又はｃ１、ｃ２）とを有し、２つの仕切り部材ｗ１、ｗ２（又はｃ１、ｃ２）の少なくとも一方の仕切り部材は、空洞部ｗ３、ｃ３内に露出する面を通じて揮発性有機化合物の吸着又は分解が可能であり、室内空間Ｒ１と空洞部ｗ３、ｃ３とで空気を流通させる空気流通手段ａ１，ａ２が設けられていることを特徴とする。【選択図】図１
2020128633.tif 000002
【特許請求の範囲】
【請求項１】
区画部材によって他の空間と区画された室内空間を備えた建物であって、
前記区画部材は、空洞部と、該空洞部を挟んで対向する２つの仕切り部材とを有し、
前記２つの仕切り部材の少なくとも一方の仕切り部材は、前記空洞部内に露出する面を通じて揮発性有機化合物の吸着又は分解が可能であり、
前記室内空間と前記空洞部とで空気を流通させる空気流通手段が設けられていることを特徴とする建物。
【請求項２】
前記２つの仕切り部材のうち少なくとも前記空洞部よりも前記室内空間側の仕切り部材は、前記空洞部側の面を通じて揮発性有機化合物の吸着又は分解が可能である、請求項１に記載の建物。
【請求項３】
前記室内空間側の仕切り部材は、前記空洞部側の面よりも前記室内空間側の面を通じた揮発性有機化合物の吸着及び分解が抑制されている、請求項２に記載の建物。
【請求項４】
前記２つの仕切り部材を固定する下地材、又は前記区画部材に内包される軸組架構は、鋼製材料を含む、請求項１から３のいずれか一項に記載の建物。
【請求項５】
前記区画部材は断熱材を内包する外周壁又は屋根材を含み、該外周壁又は該屋根材の前記空洞部は、前記断熱材の前記室内空間側に配置されている、請求項１から４のいずれか一項に記載の建物。
【請求項６】
前記区画部材は前記室内空間と該室内空間に隣接する隣接室内空間とを区画する間仕切壁を含み、該間仕切壁の前記空洞部は、平面視において前記室内空間の周囲を連続的に囲む、請求項１から５のいずれか一項に記載の建物。
【請求項７】
前記区画部材は階間に位置する天井材を含み、該天井材における前記空洞部を挟んで前記室内空間側とは反対側の仕切り部材は、軽量気泡コンクリート建材を含み、及び／又は、鋼製材料を含む梁に支持されている、請求項１から６のいずれか一項に記載の建物。
【請求項８】
前記区画部材は前記室内空間と該室内空間に隣接する隣接室内空間とを区画する間仕切壁及び階間に位置する天井材を含み、該間仕切壁の前記空洞部と該天井材の前記空洞部は連通している、請求項１から５のいずれか一項に記載の建物。
【請求項９】
前記空気流通手段は、前記室内空間側の仕切り部材に形成された複数の開口部を有する、請求項１から８のいずれか一項に記載の建物。
【請求項１０】
揮発性有機化合物の吸着性又は分解性を備えた部材が前記空洞部内に配置されている、請求項１から９のいずれか一項に記載の建物。
【請求項１１】
前記空気流通手段は、前記室内空間側の仕切り部材又は前記空洞部に配置されたファンを有する、請求項１から１０のいずれか一項に記載の建物。
【請求項１２】
前記空気流通手段は、前記室内空間側の仕切り部材に配置され、前記室内空間側に吹き出し口を有すると共に前記空洞部側に吸気口を有するエアコンディショナを有する、請求項１から１１のいずれか一項に記載の建物。
【発明の詳細な説明】
【技術分野】
【０００１】
本発明は、室内空間内の揮発性有機化合物の濃度を抑制可能な建物に関する。
【背景技術】
【０００２】
シックハウス対策に係る改正建築基準法の施行により、内装仕上げに使用する建築材料について、ホルムアルデヒドの放散速度を管理することが義務付けられている。これに対して、建物の施工業者は、例えばＪＩＳ規格の等級（例：Ｆ☆☆☆☆（Ｆフォースター））で管理された建築資材を用いて内装仕上げを行うことで、ホルムアルデヒドの放散速度の管理を行っている。
【０００３】
また、特許文献１には、室内空間に放散されたホルムアルデヒドを捕捉することが可能な内装用建材及び建築物の内装構造が開示されている。このような内装構造を採用することで、建材の組み立て等にホルムアルデヒド系接着剤を使用した場合にも放散したホルムアルデヒドを捕捉して室内のホルムアルデヒド濃度の上昇を抑制することができる。
【先行技術文献】
【特許文献】
【０００４】
【特許文献１】特開２００２−１８７７５７号公報
【発明の概要】
【発明が解決しようとする課題】
【０００５】
しかし、特許文献１に開示された構成では、ホルムアルデヒドを捕捉することが可能な内装用建材の室内側の面に通気性の良くない仕上げ材を用いた場合には、ホルムアルデヒドの捕捉性能が仕上げ材により阻害され、十分にホルムアルデヒドの濃度上昇を抑制することができない場合があり、改善の余地があった。
【０００６】
本発明は、このような課題に鑑みてなされたものであり、その目的は、室内空間に用いる仕上げ材に依らず室内空間内の揮発性有機化合物の濃度を抑制することが可能な建物を提供することにある。
【課題を解決するための手段】
【０００７】
本発明の建物は、
区画部材によって他の空間と区画された室内空間を備えた建物であって、
前記区画部材は、空洞部と、該空洞部を挟んで対向する２つの仕切り部材とを有し、
前記２つの仕切り部材の少なくとも一方の仕切り部材は、前記空洞部内に露出する面を通じて揮発性有機化合物の吸着又は分解が可能であり、
前記室内空間と前記空洞部とで空気を流通させる空気流通手段が設けられていることを特徴とするものである。
【０００８】
また、本発明の建物は、上記構成において、前記２つの仕切り部材のうち少なくとも前記空洞部よりも前記室内空間側の仕切り部材は、前記空洞部側の面を通じて揮発性有機化合物の吸着又は分解が可能であることが好ましい。
【０００９】
また、本発明の建物は、上記構成において、前記室内空間側の仕切り部材は、前記空洞部側の面よりも前記室内空間側の面を通じた揮発性有機化合物の吸着及び分解が抑制されていることが好ましい。
【００１０】
また、本発明の建物は、上記構成において、前記２つの仕切り部材を固定する下地材、又は前記区画部材に内包される軸組架構は、鋼製材料を含むことが好ましい。
【００１１】
また、本発明の建物は、上記構成において、前記区画部材は断熱材を内包する外周壁又は屋根材を含み、該外周壁又は該屋根材の前記空洞部は、前記断熱材の前記室内空間側に配置されていることが好ましい。
【００１２】
また、本発明の建物は、上記構成において、前記区画部材は前記室内空間と該室内空間に隣接する隣接室内空間とを区画する間仕切壁を含み、該間仕切壁の前記空洞部は、平面視において前記室内空間の周囲を連続的に囲むことが好ましい。
【００１３】
また、本発明の建物は、上記構成において、前記区画部材は階間に位置する天井材を含み、該天井材における前記空洞部を挟んで前記室内空間側とは反対側の仕切り部材は、軽量気泡コンクリート建材を含み、及び／又は、鋼製材料を含む梁に支持されていることが好ましい。
【００１４】
また、本発明の建物は、上記構成において、前記区画部材は前記室内空間と該室内空間に隣接する隣接室内空間とを区画する間仕切壁及び階間に位置する天井材を含み、該間仕切壁の前記空洞部と該天井材の前記空洞部は連通していることが好ましい。
【００１５】
また、本発明の建物は、上記構成において、前記空気流通手段は、前記室内空間側の仕切り部材に形成された複数の開口部を有することが好ましい。
【００１６】
また、本発明の建物は、上記構成において、揮発性有機化合物の吸着性又は分解性を備えた部材が前記空洞部内に配置されていることが好ましい。
【００１７】
また、本発明の建物は、上記構成において、前記空気流通手段は、前記室内空間側の仕切り部材又は前記空洞部に配置されたファンを有することが好ましい。
【００１８】
また、本発明の建物は、上記構成において、前記空気流通手段は、前記室内空間側の仕切り部材に配置され、前記室内空間側に吹き出し口を有すると共に前記空洞部側に吸気口を有するエアコンディショナを有することが好ましい。
【発明の効果】
【００１９】
本発明によれば、室内空間に用いる仕上げ材に依らず室内空間内の揮発性有機化合物の濃度を抑制することが可能な建物を提供することができる。
【図面の簡単な説明】
【００２０】
【図１】本発明の一実施形態に係る建物の概略構成を示す正面断面図である。
【図２】図１における、間仕切壁部分の平面断面図である。
【発明を実施するための形態】
【００２１】
以下、図面を参照して、本発明をより具体的に説明する。
【００２２】
図１は、本発明の一実施形態に係る建物１００の概略構成を示す正面断面図である。まず、建物１００の全体構成について説明する。図１に示す建物１００は、鉄骨造の軸組みを有する２階建ての工業化住宅である。
【００２３】
なお、本願明細書、及び特許請求の範囲に記載の「揮発性有機化合物」は、ＪＩＳ  Ａ  １９０１：２０１５において対象化学物質とされている建築材料の揮発性有機化合物（VOC），ホルムアルデヒド及び他のカルボニル化合物を含むものとする。
【００２４】
建物１００は、地盤ＧＬに固定された鉄筋コンクリート造の基礎構造１と、柱部材や梁部材などの軸組部材で構成された軸組架構等を有し、基礎構造１に固定された上部構造体２と、で構成されている。なお、軸組架構を構成する軸組部材は、規格化（標準化）されたものであり、予め工場にて製造された後に建築現場に搬入されて組み立てられる。
【００２５】
基礎構造１は、軸組架構の下方に位置し、軸組架構を支持している。具体的に、基礎構造１は、鉄筋コンクリート造の外周基礎梁１０及びフーチング１２を備えている。基礎構造１は、地盤ＧＬに埋設されており、フーチング１２の底面に当接して配置される杭体をさらに備えていてもよい。また、外周基礎梁１０の上端部には、露出型固定柱脚工法により軸組架構の柱部材の柱脚を固定するための柱脚固定部が設けられ、アンカーボルトが外周基礎梁１０の上面から突出している。基礎構造１は、上部構造体２の軸組架構からの鉛直荷重を地盤ＧＬに分散して伝達する機能に加えて、上部構造体２における外装部材や床部材を支持する機能を有している。
【００２６】
外周基礎梁１０は、鉄筋コンクリート造であり、上部構造体２の下方に位置し、上部構造体２を支持している。また、外周基礎梁１０の下方には、外周基礎梁１０と一体で形成された、建物１００の荷重を地盤ＧＬに伝える鉄筋コンクリート造のフーチング１２が設けられている。
【００２７】
上部構造体２は、複数の柱部材及び柱部材間に架設された複数の梁部材から構成される軸組架構と、この軸組架構の外周部に配置される外周壁ＷＬ２と、階間に位置し階層間を上階屋内空間と下階屋内空間とに隔てる天井材ＣＬと、室内空間Ｒ１と隣接する他の空間Ｒ２としての隣接室内空間とを区画する間仕切壁ＷＬ１と、を備えている。
【００２８】
外周壁ＷＬ２は、外装部材と、断熱部材と、内装部材と、を含んでいる。外装部材は、例えば、軽量気泡コンクリート（以下、「ＡＬＣ」と記載する。「ＡＬＣ」とは「autoclaved light weight concrete」の略である。）のパネルにより構成することができ、軸組架構の周囲にＡＬＣパネルを複数連接させることにより、外周壁ＷＬ２の外層（図１の例では第２仕切り部材ｗ２の外装パネルｗｐ）を形成することができる。断熱部材は、図１の例では例えば第２仕切り部材ｗ２を構成する断熱材ｈｗであり、例えば、フェノールフォーム、ポリスチレンフォーム、ウレタンフォーム等の発泡樹脂系の材料で形成することができる。内装部材は、図１の例では、外周壁ＷＬ２を構成する第１仕切り部材ｗ１であり、例えば、揮発性有機化合物の低減効果を有する機能性建材や、石膏ボードの外面に有機化合物の低減効果を有する機能性シートを貼り付けた部材で形成することができる。
【００２９】
次に、上部構造体２の内装構造について以下に詳細に説明する。
【００３０】
図１に示すように、本実施形態に係る建物１００は、室内空間Ｒ１を備えている。室内空間Ｒ１は、区画部材によって他の空間Ｒ２，Ｒ３及びＯＴと区画されている。他の空間Ｒ２は、室内空間Ｒ１と隣接する室内空間であり、区画部材である間仕切壁ＷＬ１によって室内空間Ｒ１と区画されている。また、他の空間Ｒ３は、室内空間Ｒ１の上方に設けられた室内空間であり、区画部材である天井材ＣＬによって室内空間Ｒ１と区画されている。また、他の空間ＯＴは建物１００の外部の空間であり、区画部材である外周壁ＷＬ２によって室内空間Ｒ１と区画されている。
【００３１】
間仕切壁ＷＬ１は、室内空間Ｒ１と他の空間Ｒ２とを区画する区画部材である。間仕切壁ＷＬ１は、図１に示すように、室内空間Ｒ１に面する第１仕切り部材ｗ１と、他の空間Ｒ２に面する第２仕切り部材ｗ２と、第１仕切り部材ｗ１と第２仕切り部材ｗ２により形成された空間である空洞部ｗ３とを備えている。第１仕切り部材ｗ１及び第２仕切り部材ｗ２は、空洞部ｗ３を挟んで対向して設けられている。
【００３２】
なお、第１仕切り部材ｗ１は、区画部材のうち空洞部ｗ３よりも室内空間Ｒ１側にある部分を指す概念である。同様に、第２仕切り部材ｗ２は、区画部材のうち空洞部ｗ３よりも室内空間Ｒ１側とは反対側にある部分を指す概念である。従って、本実施形態では、間仕切壁ＷＬ１は、２つの仕切り部材（本実施形態では第１仕切り部材ｗ１及び第２仕切り部材ｗ２）と空洞部ｗ３により構成されている。これは、後述する外周壁ＷＬ２、天井材ＣＬについても同様である。
【００３３】
本実施形態において、第１仕切り部材ｗ１には、例えば、揮発性有機化合物の低減効果を有する機能性建材を用いることができる。第１仕切り部材ｗ１に用いる機能性建材には、例えば、特許文献１に開示されたヒドラジド化合物を配合することでホルムアルデヒド等のアルデヒド類やその他の揮発性有機化合物の捕捉性能を高めた建材や、吉野石膏株式会社製のタイガーハイクリンボード（登録商標）等を用いることができる。また、上記以外の揮発性有機化合物の吸着性又は分解性を備えた他の建材を用いてもよい。また、第１仕切り部材ｗ１には、例えば、石膏ボードの少なくとも外面（空洞部ｗ３側の面）に揮発性有機化合物の吸着性又は分解性を備えたシート状部材を貼り付けることで、外面側で揮発性有機化合物の吸着性又は分解性を確保したものを用いてもよい。すなわち、第１仕切り部材ｗ１には、少なくとも外面（空洞部ｗ３側の面）を通じた揮発性有機化合物の吸着又は分解が可能な機能性建材等の部材を用いることができる。
【００３４】
本実施形態において、第１仕切り部材ｗ１の室内空間Ｒ１側には、通気性が良くない仕上げ材ｗｆが設けられている。このように仕上げ材ｗｆを設けることにより、第１仕切り部材ｗ１は、空洞部ｗ３側の面と比較して室内空間Ｒ１側の面を通じた揮発性有機化合物を吸着又は分解する機能が抑制される。また、後述するように、室内空間Ｒ１と空洞部ｗ３とで空気を流通させることによって、室内空間Ｒ１内の揮発性有機化合物は、第１仕切り部材ｗ１の空洞部ｗ３側から吸着又は分解される。
【００３５】
なお、仕上げ材ｗｆには、通気性の良い材料を用いても良い。通気性の良くない仕上げ材ｗｆの例としてはビニールクロス等が挙げられる。一方、通気性が良い仕上げ材ｗｆの例としては布クロス等が挙げられる。
【００３６】
本実施形態において、第２仕切り部材ｗ２には、上述の第１仕切り部材ｗ１と同一の部材を用いている。しかし、この態様には限定されず、第２仕切り部材ｗ２に揮発性有機化合物の低減効果を有していない部材等を用いてもよい。
【００３７】
空洞部ｗ３は、対向して配置された第１仕切り部材ｗ１と第２仕切り部材ｗ２によって形成された空間であり、本実施形態では空気の流通経路を構成している。間仕切壁ＷＬ１の第１仕切り部材ｗ１には、室内空間Ｒ１と空洞部ｗ３とを連通する開口部ａ１が設けられている。開口部ａ１は、第１仕切り部材ｗ１において床材ＦＬ近傍の高さ位置に配置されている。本実施形態では、間仕切壁ＷＬ１の空洞部ｗ３は、後述する天井材ＣＬの空洞部ｃ３と連通している。
【００３８】
本実施形態において、空洞部ｗ３は、平面視において、室内空間Ｒ１の周囲を連続的に囲んでいる。すなわち、空洞部ｗ３は、平面視において室内空間Ｒ１の周りを途切れることなく取り囲んでいる。図２は、本実施形態に係る建物１００の平面視における、第１仕切り部材ｗ１及び第２仕切り部材ｗ２を支持する下地材ｂｍの配置を示している。例えば図２のように、下地材ｂｍが空洞部ｗ３の幅方向に広がらないように配置することで、平面視において空洞部ｗ３が室内空間Ｒ１の周囲を連続的に囲むようにすることができる。これによって、空洞部ｗ３内の空気の流通を促進することができる（空気の流れを矢印で示す）。
【００３９】
なお、図２において、第１仕切り部材ｗ１及び第２仕切り部材ｗ２を支持する下地材ｂｍは、鋼製材料を含んでいることが好ましい。このような構成によって、下地材ｂｍからは揮発性有機化合物が放出されにくいため、本開示による建物１００において揮発性有機化合物の増加を抑制することができる。また、区画部材に内包される下地材ｂｍ以外の軸組架構についても、同様の理由により鋼製材料を含んでいることが好ましい。
【００４０】
空洞部ｗ３には、開口部ａ１から流入した空気の流れを促進するファンを配置してもよい。この場合、ファンは、開口部ａ１から流入した空気が天井材ＣＬの空洞部ｃ３に向けて流れるように設置することが望ましい。また、開口部ａ１にファンを配置し、開口部ａ１から空気を吸い込んで天井材ＣＬに向けて上方に空気を送るように構成してもよい。また、空洞部ｗ３又は開口部ａ１に配置したファンが天井材ＣＬから下方に向かって空気を送るように構成してもよい。
【００４１】
外周壁ＷＬ２は、室内空間Ｒ１と他の空間ＯＴとを区画する区画部材である。図１の例では、他の空間ＯＴは建物１００の外部の空間である。外周壁ＷＬ２は、図１に示すように、室内空間Ｒ１に面する第１仕切り部材ｗ１と、他の空間ＯＴに面する第２仕切り部材ｗ２と、第１仕切り部材ｗ１と第２仕切り部材ｗ２により形成された空洞部ｗ３とを備えている。そして、第１仕切り部材ｗ１及び第２仕切り部材ｗ２は、空洞部ｗ３を挟んで対向して設けられている。
【００４２】
本実施形態において、第１仕切り部材ｗ１には、間仕切壁ＷＬ１の第１仕切り部材ｗ１と同様に、少なくとも外面（空洞部ｗ３側の面）を通じた揮発性有機化合物の吸着又は分解が可能な機能性建材等の部材を用いることができる。
【００４３】
本実施形態において、外周壁ＷＬ２の第１仕切り部材ｗ１の室内空間Ｒ１側の面には、通気性が良くない仕上げ材ｗｆが設けられている。このように仕上げ材ｗｆを設けることにより、第１仕切り部材ｗ１が室内空間Ｒ１側から揮発性有機化合物を吸着又は分解することが抑制される。また、後述するように、室内空間Ｒ１と空洞部ｗ３とで空気を流通させることによって、室内空間Ｒ１内の揮発性有機化合物は、第１仕切り部材ｗ１の空洞部ｗ３側の面を通じて吸着又は分解される。
【００４４】
本実施形態において、第２仕切り部材ｗ２は、空洞部ｗ３に近い側から順に断熱材ｈｗ及び外装パネルｗｐを備えている。外装パネルｗｐは、ＡＬＣパネルで形成されており、軸組架構に固定されている。空洞部ｗ３は、断熱材ｈｗよりも室内空間Ｒ１側に配置されている。本実施形態では、断熱材ｈｗは主に室内空間Ｒ１から外部の空間に熱が放出するのを抑制する。
【００４５】
空洞部ｗ３は、対向して配置された第１仕切り部材ｗ１と第２仕切り部材ｗ２によって形成された空間であり、本実施形態では空気の流通経路を構成している。外周壁ＷＬ２の第１仕切り部材ｗ１には、室内空間Ｒ１と空洞部ｗ３とを連通する開口部ａ１が設けられている。開口部ａ１は、第１仕切り部材ｗ１において床材ＦＬ近傍の高さ位置に配置されている。本実施形態では、外周壁ＷＬ２の空洞部ｗ３は、後述する天井材ＣＬの空洞部ｃ３と連通している。
【００４６】
天井材ＣＬは、室内空間Ｒ１と他の空間Ｒ３とを区画する区画部材である。天井材ＣＬは、図１に示すように、室内空間Ｒ１に面する第１仕切り部材ｃ１と、室内空間Ｒ１の反対側に位置する第２仕切り部材ｃ２と、第１仕切り部材ｃ１と第２仕切り部材ｃ２により形成された空洞部ｃ３とを備えている。そして、第１仕切り部材ｃ１及び第２仕切り部材ｃ２は、空洞部ｃ３を挟んで対向して設けられている。
【００４７】
本実施形態において、第１仕切り部材ｃ１には、間仕切壁ＷＬ１の第１仕切り部材ｗ１と同様に、少なくとも外面（空洞部ｃ３側の面）を通じた揮発性有機化合物の吸着又は分解が可能な機能性建材等の部材を用いることができる。
【００４８】
本実施形態において、第２仕切り部材ｃ２は、空洞部ｃ３に近い側から天井パネルｃｐ、断熱材ｈｃ、及び床部材ｆｆを備えている。天井パネルｃｐは、外周壁ＷＬ２の外装パネルｗｐと同様にＡＬＣパネルで形成されており、軸組架構（例えば、梁など）に固定されている。なお、軸組架構は、鋼製材料を含むようにすることが好ましい。鋼製材料からは揮発性有機化合物が放出されにくいので、本開示による建物１００において揮発性有機化合物の増加を抑制することができる。空洞部ｃ３は、断熱材ｈｃよりも室内空間Ｒ１側に配置されている。
【００４９】
本実施形態において、第１仕切り部材ｃ１の室内空間Ｒ１側には、通気性が良くない仕上げ材ｃｆが設けられている。このように仕上げ材ｃｆを設けることにより、第１仕切り部材ｃ１が室内空間Ｒ１側から揮発性有機化合物を吸着又は分解することが抑制される。また、後述するように、室内空間Ｒ１と空洞部ｃ３とで空気を流通させることによって、室内空間Ｒ１内の揮発性有機化合物は、第１仕切り部材ｃ１の空洞部ｃ３側から吸着又は分解される。
【００５０】
空洞部ｃ３は、対向して配置された第１仕切り部材ｃ１と第２仕切り部材ｃ２によって形成された空間であり、本実施形態では空気の流通経路を構成している。天井材ＣＬの第１仕切り部材ｃ１には、室内空間Ｒ１と空洞部ｃ３とを連通する開口部ａ２が設けられている。開口部ａ２は、第１仕切り部材ｃ１における略中央位置に配置されている。本実施形態では、天井材ＣＬの空洞部ｃ３は、上述の間仕切壁ＷＬ１の空洞部ｗ３と連通している。
【００５１】
本実施形態では、間仕切壁ＷＬ１又は外周壁ＷＬ２に配置された開口部ａ１から空洞部ｗ３内に流入した空気が、各空洞部ｗ３を通って天井材ＣＬの空洞部ｃ３へと運ばれる。天井材ＣＬの第１仕切り部材ｃ１には、開口部ａ２が形成されており、開口部ａ１から流入した空気が天井材ＣＬの開口部ａ２から室内空間Ｒ１内に再流入する。つまり、図１の例では、間仕切壁ＷＬ１の空洞部ｗ３、外周壁ＷＬ２の空洞部ｗ３、及び天井材ＣＬの空洞部ｃ３が空気流通経路を構成している。本実施形態では、間仕切壁ＷＬ１及び外周壁ＷＬ２の開口部ａ１に設けたファンが室内空間Ｒ１内の空気を空洞部ｗ３内へと導き、天井材ＣＬの開口部ａ２から室内空間内へと再流入させる（空気の流れを図１内に矢印で示す）。
【００５２】
上述のように、間仕切壁ＷＬ１、外周壁ＷＬ２、及び天井材ＣＬの第１仕切り部材ｗ１、ｃ１は、少なくとも空洞部ｗ３、ｃ３に面する外側面を通じて揮発性有機化合物を吸着又は分解することによって低減する効果を有している。従って、間仕切壁ＷＬ１又は外周壁ＷＬ２に配置された開口部ａ１から空洞部ｗ３内に流入し、天井材ＣＬの空洞部ｃ３を経由した空気は、第１仕切り部材ｗ１、ｃ１が有する揮発性有機化合物の吸着作用又は分解作用によって、空気に含まれる揮発性有機化合物が低減される。そして、空洞部ｗ３、ｃ３を通過した空気は、揮発性有機化合物が低減した状態で室内空間Ｒ１内に再度戻る。従って、本実施形態のように、第１仕切り部材ｗ１、ｃ１の室内空間Ｒ１に面した内側面に通気性が良くない仕上げ材ｗｆ、ｃｆを用いた場合でも、室内空間Ｒ１の空気内に含まれる揮発性有機化合物を低減することができる。よって、室内空間Ｒ１に面した内側面に使用する仕上げ材ｗｆ、ｃｆの選択の幅を広げることができる。
【００５３】
なお、第１仕切り部材ｗ１、ｃ１に揮発性有機化合物の吸着作用又は分解作用を持たせる代わりに、またはそれと同時に空洞部ｗ３、ｃ３内に揮発性有機化合物を吸着又は分解する部材を配置してもよい。これによって、空洞部ｗ３、ｃ３内を流通する空気内の揮発性有機化合物を効果的に低減することができる。つまり、空気流通経路を構成している空洞部ｗ３、ｃ３内に露出する面を通じて揮発性有機化合物の吸着又は分解が可能であればよい。換言すれば、揮発性有機化合物の吸着性又は分解性を備えた部材自体、又は、ある部材における揮発性有機化合物の吸着性又は分解性を備えた部位が、空気流通経路を構成している空洞部ｗ３、ｃ３に面するように配置されていればよい。
【００５４】
また、本実施形態のように第１仕切り部材ｗ１、ｃ１の室内空間Ｒ１に面した内側面に通気性が良くない仕上げ材ｗｆ、ｃｆを用いることができるので、第１仕切り部材ｗ１、ｃ１内に吸着された揮発性有機化合物が直接室内空間Ｒ１内に再放出されることを抑制することができる。
【００５５】
また、第１仕切り部材ｗ１、ｃ１は、空気が流動する空洞部ｗ３、ｃ３に面した外側面を通じて揮発性有機化合物を吸着又は分解するので、当該外側面における空気の流動性が高まり、空気中の揮発性有機化合物を効果的に低減することができる。
【００５６】
なお、本実施形態では、ファンを用いることで室内空間Ｒ１内の空気が空洞部ｗ３、ｃ３内を流動するように構成したが、この態様には限定されず、例えばエアコンディショナを利用するように構成してもよい。より具体的には、例えばエアコンディショナを第１仕切り部材ｗ１に配置し、エアコンディショナの吸気口を空洞部ｗ３側に配置すると共に吹き出し口を室内空間Ｒ１側に配置するように構成してもよい。また、室内空間Ｒ１又は空洞部ｗ３内を局所的に温めて、空気を対流により流動させるようにしてもよい。
【００５７】
また、本実施形態では、室内空間Ｒ１と他の空間Ｒ２，Ｒ３，ＯＴとを区画する区画部材として間仕切壁ＷＬ１、外周壁ＷＬ２、及び天井材ＣＬを例に説明したが、この態様には限定されない。例えば、区画部材として、屋根材（図１には図示しない）又は床材ＦＬを用いるようにしてもよい。区画部材として屋根材を採用する場合には、図１の第２仕切り部材ｃ２として屋根を構成する部材を採用し、当該屋根を構成する部材と第１仕切り部材ｃ１との間に空洞部ｃ３を設けるように構成すればよい。この場合、屋根を構成する部材が断熱材を含むようにすることが好ましい。また、区画部材として床材ＦＬを採用する場合には、図１の床材ＦＬを第１仕切り部材として用いると共に床材ＦＬの下方に第２仕切り部材の役割を持つ部材を更に配置し、床材ＦＬと新たに追加した部材との間の空間を空洞部として室内空間Ｒ１内の空気を流通させるように構成すればよい。また、図１において床材ＦＬと地盤ＧＬとの間の空間を空洞部として用いるようにしてもよい。
【００５８】
以上述べたように、本実施形態は、区画部材によって他の空間Ｒ２、Ｒ３と区画された室内空間Ｒ１を備えた建物１００であって、区画部材は、空洞部ｗ３、ｃ３と、空洞部ｗ３、ｃ３を挟んで対向する２つの仕切り部材ｗ１、ｗ２（又はｃ１、ｃ２）とを有し、２つの仕切り部材ｗ１、ｗ２（又はｃ１、ｃ２）の少なくとも一方の仕切り部材は、空洞部ｗ３、ｃ３内に露出する面を通じて揮発性有機化合物の吸着又は分解が可能であり、室内空間Ｒ１と空洞部ｗ３、ｃ３とで空気を流通させる空気流通手段が設けられるように構成した。このような構成の採用によって、間仕切壁ＷＬ１に配置された開口部ａ１から空洞部ｗ３内に流入し、天井材ＣＬの空洞部ｃ３を経由した空気は、空洞部ｗ３、ｃ３内において露出する面を通じて揮発性有機化合物が吸着又は分解され、空気に含まれる揮発性有機化合物の濃度が低減される。そして、空洞部ｗ３、ｃ３を通過した空気は、揮発性有機化合物が低減した状態で室内空間Ｒ１内に再度戻る。従って、第１仕切り部材ｗ１、ｃ１の室内空間Ｒ１に面した内面に通気性が良くない仕上げ材ｗｆ、ｃｆを用いた場合でも、室内空間Ｒ１の空気内に含まれる揮発性有機化合物の濃度を低減することができる。よって、室内空間Ｒ１の内面に使用する仕上げ材ｗｆ、ｃｆの選択の幅を広げることができる。
【００５９】
また、本実施形態では、２つの仕切り部材ｗ１、ｗ２（又はｃ１、ｃ２）のうち少なくとも空洞部ｗ３、ｃ３よりも室内空間Ｒ１側の仕切り部材ｗ１、ｃ１は、空洞部ｗ３、ｃ３側の面を通じて揮発性有機化合物の吸着又は分解が可能であるように構成した。このような構成の採用によって、室内空間Ｒ１に面する部材のみを揮発性有機化合物の吸着又は分解に対応した部材に置き換えるだけでよいので、既存の建物にも導入し易くなる。
【００６０】
また、本実施形態では、室内空間Ｒ１側の仕切り部材ｗ１、ｃ１は、空洞部ｗ３、ｃ３側の面よりも室内空間側Ｒ１の面を通じた揮発性有機化合物の吸着及び分解が抑制されるように構成した。このような構成の採用によって、第１仕切り部材ｗ１、ｃ１内に吸着された揮発性有機化合物が直接室内空間Ｒ１内に再放出されることを抑制することができる。
【００６１】
また、本実施形態では、２つの仕切り部材ｗ１、ｗ２（又はｃ１、ｃ２）を固定する下地材ｂｍ、又は区画部材に内包される軸組架構は、鋼製材料を含むように構成した。このような構成の採用によって、下地材ｂｍや軸組架構からは揮発性有機化合物が放出されないため、下地材ｂｍや軸組架構に木材等を用いた場合と比較して揮発性有機化合物の濃度を抑制することができる。
【００６２】
また、本実施形態では、区画部材は断熱材を内包する外周壁ＷＬ２又は屋根材を含み、外周壁ＷＬ２又は屋根材の空洞部ｗ３は、断熱材ｈｗの室内空間Ｒ１側に配置されるように構成した。このような構成の採用によって、外周壁ＷＬ２や屋根材から熱が放出されるのを抑制しつつ、これらの部位において揮発性有機化合物の吸着又は分解を促進することができる。
【００６３】
また、本実施形態では、区画部材は室内空間Ｒ１と室内空間Ｒ１に隣接する隣接室内空間（他の空間Ｒ２）とを区画する間仕切壁ＷＬ１を含み、間仕切壁ＷＬ１の空洞部ｗ３は、平面視において室内空間Ｒ１の周囲を連続的に囲むように構成した。このような構成の採用によって、空洞部ｗ３内の空気の流通が促進されるので、空洞部ｗ３内における揮発性有機化合物の吸着性又は分解性を向上させることができる。
【００６４】
また、本実施形態では、区画部材は階間に位置する天井材ＣＬを含み、天井材ＣＬにおける空洞部ｃ３を挟んで室内空間Ｒ１側とは反対側の仕切り部材ｃ２は、軽量気泡コンクリート建材を含むように構成した。このような構成の採用によって、軽量気泡コンクリート建材は揮発性有機化合物の吸着機能を有するため、空洞部ｃ３を流通する空気の揮発性有機化合物を吸着して室内空間Ｒ１内の揮発性有機化合物の濃度を抑制することができる。
【００６５】
また、本実施形態では、区画部材は階間に位置する天井材ＣＬを含み、天井材ＣＬにおける空洞部ｃ３を挟んで室内空間Ｒ１側とは反対側の仕切り部材ｃ２を支持する梁は、鋼製材料を含むように構成した。このような構成の採用によって、仕切り部材ｃ２を支持する梁からは揮発性有機化合物が放出されにくいため、仕切り部材ｃ２を支持する梁に木材等を用いた場合と比較して揮発性有機化合物の濃度を抑制することができる。
【００６６】
また、本実施形態では、区画部材は室内空間Ｒ１と室内空間Ｒ１に隣接する隣接室内空間（他の空間Ｒ２）とを区画する間仕切壁ＷＬ１及び階間に位置する天井材ＣＬを含み、間仕切壁ＷＬ１の空洞部ｗ３と天井材ＣＬの空洞部ｃ３は連通するように構成した。このような構成の採用によって、間仕切壁ＷＬ１の空洞部ｗ３に空気を流入させ、更に天井材ＣＬの空洞部ｃ３を通過させて天井から室内空間Ｒ１に戻すことができる。従って、空気を空洞部ｗ３、ｃ３内の長い距離を移動させることができるので、揮発性有機化合物の吸着性又は分解性を備えた部材に長時間晒して、空気中の揮発性有機化合物の濃度を抑制することができる。
【００６７】
また、本実施形態では、空気流通手段は、室内空間Ｒ１側の仕切り部材ｗ１、ｃ１に形成された複数の開口部ａ１，ａ２を有するように構成した。このような構成の採用によって、室内空間Ｒ１内の空気を一の開口部から流出させると共に、一の開口部から離間した他の開口部から再度室内空間Ｒ１内に戻すことができるので、室内空間Ｒ１内の空気を広範囲で流動させることができる。従って、室内空間Ｒ１内の空気から偏り無く揮発性有機化合物を除去することができる。
【００６８】
また、本実施形態では、複数の開口部は、室内空間Ｒ１と隣接室内空間（他の空間Ｒ２）とを区画する間仕切壁ＷＬ１及び階間に位置する天井材ＣＬにそれぞれ設けられるように構成した。このような構成の採用によって、室内空間Ｒ１内の空気を間仕切壁ＷＬ１の開口部ａ１から流出させると共に、開口部ａ１から離間した天井材ＣＬの開口部ａ２から再度室内空間Ｒ１内に戻すことができるので、室内空間Ｒ１内の空気をより広範囲で流動させることができる。従って、室内空間Ｒ１内の空気から偏り無く揮発性有機化合物を除去することができる。
【００６９】
また、本実施形態では、複数の開口部のうち、間仕切壁ＷＬ１に設けられている開口部ａ１は、間仕切壁ＷＬ１における室内空間Ｒ１の床材ＦＬ近傍に形成されるように構成した。このような構成の採用によって、間仕切壁ＷＬ１の開口部ａ１と天井材ＣＬの開口部ａ２とをより離間させることができるので、室内空間Ｒ１内の空気を更に広範囲で流動させることができる。従って、室内空間Ｒ１内の空気から偏り無く揮発性有機化合物を除去することができる。
【００７０】
また、本実施形態では、揮発性有機化合物の吸着性又は分解性を備えた部材が空洞部ｗ３、ｃ３内に配置されるように構成した。このような構成の採用によって、間仕切壁ＷＬ１や天井材ＣＬの材質を変更することなく、室内空間Ｒ１内の揮発性有機化合物の濃度を低減することができる。
【００７１】
また、本実施形態では、空気流通手段は、室内空間Ｒ１側の仕切り部材ｗ１、ｃ１又は空洞部ｗ３、ｃ３に配置されたファンを有するように構成した。このような構成の採用によって、室内空間Ｒ１と空洞部ｗ３、ｃ３とで空気を効率よく流通させて室内空間Ｒ１内の揮発性有機化合物の濃度を低減することができる。
【００７２】
また、本実施形態では、空気流通手段は、室内空間Ｒ１側の仕切り部材ｗ１、ｃ１に配置され、室内空間Ｒ１側に吹き出し口を有すると共に空洞部ｗ３、ｃ３側に吸気口を有するエアコンディショナを有するように構成した。このような構成の採用によって、室内空間Ｒ１内の揮発性有機化合物の濃度を低減するためにファンを設ける必要がなく、通常の室内空間Ｒ１に設置されているエアコンディショナを用いて室内空間Ｒ１と空洞部ｗ３、ｃ３とで空気を効率よく流通させて室内空間Ｒ１内の揮発性有機化合物の濃度を低減することができる。
【００７３】
本発明を諸図面および実施例に基づき説明してきたが、当業者であれば本開示に基づき種々の変形または修正を行うことが容易であることに注意されたい。従って、これらの変形または修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。
【００７４】
例えば、本実施形態では、複数の開口部ａ１，ａ２が間仕切壁ＷＬ１、外周壁ＷＬ２及び天井材ＣＬにそれぞれ設けられるように構成したが、この態様には限定されない。複数の開口部ａ１，ａ２は室内空間に面する間仕切壁ＷＬ１、外周壁ＷＬ２、天井材ＣＬ、屋根材、及び床材のうち、いずれか２か所に設けられるように構成してもよい。また、同じ間仕切壁ＷＬ１の上部と下部にそれぞれ開口部を設けるなど、同種の区画部材内に複数の開口部が設けられていてもよい。また、開口部は、４か所以上に設けられるように構成してもよい。
【符号の説明】
【００７５】
１          基礎構造
２          上部構造体
１０        外周基礎梁
１２        フーチング
１００      建物
ＣＬ        天井材
ＦＬ        床材
ＧＬ        地盤
ＯＴ        他の空間
Ｒ１        室内空間
Ｒ２        他の空間（隣接室内空間）
Ｒ３        他の空間
ＷＬ１      間仕切壁
ＷＬ２      外周壁
ａ１        開口部
ａ２        開口部
ｂｍ        下地材
ｃ１        第１仕切り部材
ｃ２        第２仕切り部材
ｃ３        空洞部
ｃｆ        仕上げ材
ｃｐ        天井パネル
ｆｆ        床部材
ｈｃ        断熱材
ｈｗ        断熱材
ｗ１        第１仕切り部材
ｗ２        第２仕切り部材
ｗ３        空洞部
ｗｆ        仕上げ材
ｗｐ        外装パネル
【図１】
2020128633.tif 000003
【図２】
2020128633.tif 000004